(57)【要約】【課題】  不要印刷物を処分しやすいよう、装置本体にてサポートする機能を有する画像記録装置を提供することを目的とする。【解決手段】  カットモード動作指令を受信する手段と、カット長指定を受信する手段と、指定されたカット長に用紙を引き出しカットする用紙搬送手段およびカット手段とを有する。【選択図】  図１
2006168154.tif 000002
【特許請求の範囲】
【請求項１】
カットモード動作指令を受信する手段と、カット長指定を受信する手段と、指定されたカット長に用紙を引き出しカットする用紙搬送手段、およびカット手段とを有することを特徴とする画像記録装置。
【請求項２】
前記カットモード動作時のカッター駆動速度は、通常印刷時のカッター駆動速度に比べ低いことを特徴とする、請求項１に記載の画像記録装置。
【請求項３】
前記カット長指定はＡ３幅より小さいものを指定できること特徴とする、請求項１に記載の画像記録装置。
【発明の詳細な説明】
【技術分野】
【０００１】
本発明は、例えばカッターを搭載したプリンタやプロッタ等の画像記録装置に関する。
【背景技術】
【０００２】
従来、この種の画像形成装置では、操作ミス等が原因で記録ミスなどを起すことが多い。そのように記録ミスなどした記録文書の中には、正式文書として使用できなくても、機密事項など重要な情報が記録されたものがある。そこで、従来、そのような機密文書を処分するために、オフィス等にシュレッダを設置していた。
しかしながらこれら一般のオフィス用シュレッダは用紙対応サイズがＡ４やＡ３までが多く、それ以上の大きさになると少量なら人手で一旦たたんだり、カッターやハサミで小さくカットしたりしてからシュレッダに入れていた。また大量の場合には産業廃棄物として処分したり、大型シュレッダなど特別な設備をもつ専門業者に依頼して引き取ってもらうなどの必要があった。
【０００３】
また特許文献１、特許文献２、特許文献３ではシュレッダ機能を内蔵する画像記録装置が提案されている。
【特許文献１】特開平０６−０６３４３５号公報
【特許文献２】特開２０００−１５９４１０号公報
【特許文献３】特開２００３−００１９０２号公報
【発明の開示】
【発明が解決しようとする課題】
【０００４】
さて、近年インクジェット技術を使った大判プリンタが普及してきており、一般オフィスでもＡ０、Ｂ０といった大判サイズの印刷が可能になってきた。このような大判プリンタを導入したオフィスでは、記録ミスした印刷物、テスト印刷物、使用済み印刷物など、様々な不要印字物が発生する。しかしながら用紙サイズが大きいため、オフィス用のシュレッダでは容易には処理できない。一方、従来例にあるシュレッダ機能を内蔵する発明をオフィス向けの大判プリンタに適用することを考えると、もともと大きな装置がさらに大きくなる上、装置の複雑化を招くので、設置場所、価格などの面でユーザーメリットが少ない。
【０００５】
そこで本発明では、このような不要印刷物を処分しやすいよう、装置本体にてサポートする機能を有する画像記録装置を提供することを目的とする。
【課題を解決するための手段】
【０００６】
上記のような問題に対し、本発明は、少なくともカットモード動作指令を受信する手段と、カット長指定を受信する手段と、指定されたカット長に用紙を引き出しカットする用紙搬送手段およびカット手段とを有することを特徴とする。
【発明の効果】
【０００７】
以上説明したように、本発明による記録装置を用いれば、廃棄処分に手間取る大サイズの不要印刷物を、オフィスにある一般的なシュレッダを利用して処分することが可能となる。
【発明を実施するための最良の形態】
【０００８】
以下、本発明の実施の形態について図面を参照して説明する。
【０００９】
図１は本実施の形態に係る画像記録装置の一例であるインクジェット記録装置のブロック図である。
【００１０】
インクジェット記録装置１００は、通常の印字動作においては外部のホストコンピュータ２４から画像信号を受けてこれを印字する。インクジェット記録装置１００は、制御部２０により、ヘッド３２を搭載したキャリッジを駆動するキャリッジモータ３４を制御し、かつ、紙搬送モータ３５を制御しながら、ヘッドドライバ３１を介してインクジェットヘッド３２のインク滴の吐出を制御する。また、制御部２０は、装置内温度を検知するサーミスタ（温度検出素子）２５、用紙（メディア）２０２がプラテン２０１上にセットされたことを検知するメディアセンサ２０３、後述する保持位置にメディアが存在することを検知するメディアセンサ３９の出力を受ける一方、プラテン上２０１での用紙２０２の浮き、コックリングを防止するため用紙２０２をプラテン２０１上に吸引する吸引ファン２３を制御し、かつ、ヘッド２０５のインク吸引動作、ワイパー動作、予備吐動作を行う回復系ユニット３９を制御する。
【００１１】
制御部２０は、装置全体を制御するＣＰＵ２１、インク乾燥時間を計時するタイマー２２、それぞれ、ＣＰＵ２１の制御下で上記キャリッジモータ３４および紙搬送モータ３５を制御するドライバＩＣ２６，２７を含む。
【００１２】
図２は、インクジェット記録装置１００の側断面図である。プラテン２０１は、被記録材（メディア）である用紙２０２を上面に載置する。ＣＰＵ２１は、用紙２０２が引き出されてプラテン２０１上にセットされたことをメディアセンサ２０３により検出すると、吸引ファン２０４を回転させ、プラテン２０１上に設けられたメディアの吸引孔２０８からの吸引により用紙２０２をプラテン上に吸い付ける。
【００１３】
用紙２０２はグリッドローラ２０６とピンチローラ２０７によって駆動搬送されて、プラテン２０１上を移動する。プラテン２０１の上方には、プラテン２０１と平行に例えば２本の互いに平行なガイドシャフトが架設されている。ガイドシャフトには、スライド軸受けを介して往復移動自在にキャリッジが取り付けられており、キャリッジをガイドシャフトに沿って平行に移動し得るようにしている。このキャリッジには、インクを吐出するヘッド２０５が搭載されている。キャリッジは、キャリッジモータ（図２の３４）およびベルト（図示せず）により、制御部２０の制御に応じて動作し、搭載しているヘッド２０５をガイドシャフトに平行に往復移動させる。キャリッジの移動可能範囲の一端の画像形成領域外の退避位置に、前記回復系ユニット３７が設けられている。
【００１４】
このような構成において、ヘッド２０５はキャリッジと共にガイドシャフトに沿って左右に移動する、このとき、図示していないノズルからインクを吐出し、ノズル幅分の画像を形成する。次に用紙２０２はグリッドローラ２０６とピンチローラ２０７によってノズル幅分搬送される。この繰り返しで画像形成が行われる。
【００１５】
画像の形成終了後、カッター溝２０９に沿ってカッター３０１を移動させることにより用紙２０２は所定の長さにカットされる。カッター３０１は、キャリッジ上に搭載されており、図示しないカッター引き出し位置にキャリッジを移動させることにより刃の部分が引き出される構成となっている。また、刃の部分を引き出した状態でキャリッジを移動させることにより用紙２０２をカットすることが可能となっている。
【００１６】
以上が本発明のインクジェット記録装置における通常印字の際の動作説明である。
【実施例１】
【００１７】
次に、本発明のインクジェット記録装置におけるカットモードの実施例を説明する。
【００１８】
図３は本実施の形態に係るインクジェット記録装置のカットモードのフロー図である。
【００１９】
カットモードにおいて、インクジェット記録装置１００は外部のホストコンピュータ２４からカットモード動作指令を受信し（ステップＳ８０１）、引き続きカットする長さ指定を受信する（ステップＳ８０２）。カット長は例えば“Ａ３幅”、“Ａ４幅”などで指定される。用紙２０２は前述の印字の際は不図示の装置下部に収められており、図２矢印Ａの方向から進入したが、カットモードでは既に印字されて不要になった用紙を対象にしているので、図２矢印Ｂの手差し用紙搬送経路を使用する。ＣＰＵ２１はカットモードに入ると、まず手差しセンサ２１０を監視し、不要印刷物などのカット対象となる用紙がユーザーによって挿入されるのを待つ（ステップＳ８０３）。手差しセンサ２１０で用紙を検出すると、グリッドローラ２０６とピンチローラ２０７によって駆動搬送し、プラテン２０１上に引き込む（ステップＳ８０４）。用紙２０２がプラテン２０１上にセットされたことをメディアセンサ３９により検出すると、吸引ファン２０４を回転させて（ステップＳ８０５）用紙２０２をプラテン上に吸い付けながら、指定の長さ引き出したところでグリッドローラ２０６を停止させる（ステップＳ８０６）。ここでカッター溝２０９に沿ってカッター３０１を移動させ、用紙２０２を所定の長さにカットする。カット後は再びグリッドローラ２０６を駆動し、用紙を所定の長さ引き出したところでカットし（ステップＳ８０８）、これを用紙がすべて送り終わるまで繰り返す。もし用紙送り中に手差しセンサ２１０で用紙終端を検出したら（ステップＳ８０８）これ以上のカットはできないので繰り返しを止め、ホストコンピュータ２４にカットモードが完了したことを通知し（ステップＳ８０９）、処理を終える。
【００２０】
図４は本実施の形態に係るインクジェット記録装置によりカットされた不要印刷物のイメージである。
【００２１】
例えばカット長に“Ａ４幅”が指定されたとすると、以上の処理で不要印刷物などの用紙は図４に示すような短冊状にカットされる。図４の矢印方向であればオフィスにある一般的なシュレッダで処理することが可能である。
【００２２】
以上、本発明の実施例を述べた。例ではホストコンピュータからカットモード動作指令およびカット長指定を受信したが、これは装置内部の制御パネル操作によりからユーザーによって指定されても構わない。また、カット長の単位は、Ａ４幅、Ａ３幅といった定型サイズを指定されするものでも、ミリメートルなどでも構わない。さらに本発明ではこのカット長指定を最大“Ａ３幅”とする。これは一般的なオフィスで使用されるシュレッダの対応用紙幅はＡ４が多く、大きくてもＡ３幅あれば大半のオフィスにおいて網羅できるからである。
【実施例２】
【００２３】
実施例１ではカッター駆動速度については特に触れていないが、カットに要する時間はプリンタの印刷スループットに影響するためカッター駆動速度は早いほうが望ましい。しかしながらカットと行うと用紙の切断部から紙紛が飛散し、プラテンやヘッドに付着して印刷品位を低下させるばかりか、長期的には装置の寿命にも悪影響を及ぼす。そこで本発明では、カットモード時は印刷スループットへの影響がないためカット時間を長くとれることから、カッター駆動速度を印刷時に比べ遅くすることで紙紛の発生量をおさえ、かつ紙紛の飛散する距離範囲を小さくする。つまり印刷時のカッター駆動速度をＶ１、カットモード時のカッター駆動速度をＶ２とすると
Ｖ２＜Ｖ１
となるように制御することを特徴とする。
【図面の簡単な説明】
【００２４】
【図１】本実施の形態に係るインクジェット記録装置のブロック図である。
【図２】インクジェット記録装置１００の側断面図である。
【図３】本実施の形態に係るインクジェット記録装置のカットモードのフロー図である。
【図４】本実施の形態に係るインクジェット記録装置によりカットされた不要印刷物のイメージである。
【符号の説明】
【００２５】
２０  制御部
２４  ホストコンピュータ
２５  サーミスタ（温度検出素子）
３１  ヘッドドライバ
３２  ヘッド
３５  紙搬送モータ
１００  インクジェット記録装置
２０９  カッター溝
３０１  カッター
【図１】
2006168154.tif 000003
【図２】
2006168154.tif 000004
【図３】
2006168154.tif 000005
【図４】
2006168154.tif 000006